(57)【要約】【課題】本発明は、下側構造部材及び梁に対するプレキャスト壁部材の接合作業の手間を軽減することを目的とする。【解決手段】プレキャスト壁構造は、梁３０と、梁３０の側面３０Ａと対向する中段プレキャスト壁部材４２Ｍと、中段プレキャスト壁部材４２Ｍから突出し、梁３０に形成された切欠き部に挿入される連結線材と、切欠き部に充填され、梁３０と中段プレキャスト壁部材４２Ｍとを接合するセメント系充填材と、中段プレキャスト壁部材４２Ｍの下に配置される下段プレキャスト壁部材４２Ｌと、下段プレキャスト壁部材４２Ｌから突出し、中段プレキャスト壁部材４２Ｍに形成された切欠き部５２Ｍに挿入される連結線材５０Ｌと、切欠き部５２Ｍに充填され、中段プレキャスト壁部材４２Ｍと下段プレキャスト壁部材４２Ｌとを接合するセメント系充填材５６と、を備える。【選択図】図３
2018025056.tif 000002
【特許請求の範囲】
【請求項１】
梁と、
前記梁の側面と対向するプレキャスト壁部材と、
前記梁及び前記プレキャスト壁部材の何れか一方から突出し、前記梁及び前記プレキャスト壁部材の何れか他方に形成された第一挿入部に挿入される第一連結部材と、
前記第一挿入部に充填され、前記梁と前記プレキャスト壁部材とを接合する第一充填材と、
前記プレキャスト壁部材の下に配置される下側構造部材と、
前記プレキャスト壁部材及び下側構造部材の何れか一方から突出し、前記プレキャスト壁部材及び下側構造部材の何れか他方に形成された第二挿入部に挿入される第二連結部材と、
前記第二挿入部に充填され、前記下側構造部材と前記プレキャスト壁部材とを接合する第二充填材と、
を備えるプレキャスト壁構造。
【請求項２】
前記プレキャスト壁部材の上に配置される上側プレキャスト壁部材と、
前記プレキャスト壁部材及び前記上側プレキャスト壁部材の何れか一方から突出し、前記プレキャスト壁部材及び前記上側プレキャスト壁部材の何れか他方に形成された第三挿入部に挿入される第三連結部材と、
前記第三挿入部に充填され、前記プレキャスト壁部材と前記上側プレキャスト壁部材とを接合する第三充填材と、
を備える請求項１に記載のプレキャスト壁構造。
【請求項３】
各々の横幅方向に隣り合う一対の前記プレキャスト壁部材と、
一対の前記プレキャスト壁部材の何れか一方から突出し、一対の前記プレキャスト壁部材の何れか他方に形成された第四挿入部に挿入される第四連結部材と、
前記第四挿入部に充填され、一対の前記プレキャスト壁部材同士を接合する第四充填材と、
を備える請求項１又は請求項２に記載のプレキャスト壁構造。
【発明の詳細な説明】
【技術分野】
【０００１】
本発明は、プレキャスト壁構造に関する。
【背景技術】
【０００２】
梁と、当該梁の側面と対向するプレキャスト壁部材との接合構造が知られている（例えば、特許文献１，２参照）。
【先行技術文献】
【特許文献】
【０００３】
【特許文献１】特開平７−０９０９５７号公報
【特許文献２】特開平６−１３６８５９号公報
【発明の概要】
【発明が解決しようとする課題】
【０００４】
特許文献１に開示された技術では、プレキャスト壁部材の上部と梁との接合作業の手間を軽減することができる。
【０００５】
しかしながら、特許文献１に開示された技術では、プレキャスト壁部材と当該プレキャスト壁部材を下側から支持する下側構造部材との接合方法が考慮されていない。したがって、プレキャスト壁部材と下側構造部材との接合作業の手間を低減するためには、さらなる改善の余地がある。
【０００６】
本発明は、上記の事実を考慮し、下側構造部材及び梁に対するプレキャスト壁部材の接合作業の手間を軽減することを目的とする。
【課題を解決するための手段】
【０００７】
請求項１に記載のプレキャスト壁構造は、梁と、前記梁の側面と対向するプレキャスト壁部材と、前記梁及び前記プレキャスト壁部材の何れか一方から突出し、前記梁及び前記プレキャスト壁部材の何れか他方に形成された第一挿入部に挿入される第一連結部材と、前記第一挿入部に充填され、前記梁と前記プレキャスト壁部材とを接合する第一充填材と、前記プレキャスト壁部材の下に配置される下側構造部材と、前記プレキャスト壁部材及び下側構造部材の何れか一方から突出し、前記プレキャスト壁部材及び下側構造部材の何れか他方に形成された第二挿入部に挿入される第二連結部材と、前記第二挿入部に充填され、前記下側構造部材と前記プレキャスト壁部材とを接合する第二充填材と、を備える。
【０００８】
請求項１に係るプレキャスト壁構造によれば、第一連結部材は、梁及びプレキャスト壁部材の何れか一方から突出される。この第一連結部材は、梁及びプレキャスト壁部材の何れか他方に形成された第一挿入部に挿入される。この状態で、第一挿入部に第一充填材を充填することにより、梁とプレキャスト壁部材とが接合される。したがって、例えば、型枠の仮設作業等が低減されるため、梁とプレキャスト壁部材との接合作業の手間が軽減される。
【０００９】
また、第二連結部材は、プレキャスト壁部材及び下側構造部材の何れか一方から突出される。この第二連結部材は、プレキャスト壁部材及び下側構造部材の何れか他方に形成された第二挿入部に挿入される。この状態で、第二挿入部に第二充填材を充填することにより、下側構造部材とプレキャスト壁部材とが接合される。したがって、例えば、型枠の仮設作業等が低減されるため、下側構造部材とプレキャスト壁部材との接合作業の手間が軽減される。
【００１０】
請求項２に記載のプレキャスト壁構造は、請求項１に記載のプレキャスト壁構造において、前記プレキャスト壁部材の上に配置される上側プレキャスト壁部材と、前記プレキャスト壁部材及び前記上側プレキャスト壁部材の何れか一方から突出し、前記プレキャスト壁部材及び前記上側プレキャスト壁部材の何れか他方に形成された第三挿入部に挿入される第三連結部材と、前記第三挿入部に充填され、前記プレキャスト壁部材と前記上側プレキャスト壁部材とを接合する第三充填材と、を備える。
【００１１】
請求項２に係るプレキャスト壁構造によれば、第三連結部材は、プレキャスト壁部材及び上側プレキャスト壁部材の何れか一方から突出される。この第三連結部材は、プレキャスト壁部材及び上側プレキャスト壁部材の何れか他方に形成された第三挿入部に挿入される。この状態で、第三挿入部に第三充填材を充填することにより、プレキャスト壁部材と上側プレキャスト壁部材とが接合される。したがって、例えば、型枠の仮設作業等が低減されるため、プレキャスト壁部材と上側プレキャスト壁部材との接合作業の手間が軽減される。
【００１２】
請求項３に記載のプレキャスト壁構造は、請求項１又は請求項２に記載のプレキャスト壁構造において、各々の横幅方向に隣り合う一対の前記プレキャスト壁部材と、一対の前記プレキャスト壁部材の何れか一方から突出し、一対の前記プレキャスト壁部材の何れか他方に形成された第四挿入部に挿入される第四連結部材と、前記第四挿入部に充填され、一対の前記プレキャスト壁部材同士を接合する第四充填材と、を備える。
【００１３】
請求項３に係るプレキャスト壁構造によれば、第四連結部材は、各々の横幅方向に隣り合う一対のプレキャスト壁部材の何れか一方から突出される。この第四連結部材は、一対のプレキャスト壁部材の何れか他方に形成された第四挿入部に挿入される。この状態で、第四挿入部に第四充填材を充填することにより、一対のプレキャスト壁部材同士が接合される。したがって、例えば、型枠の仮設作業等が低減されるため、一対のプレキャスト壁部材同士の接合作業の手間が軽減される。
【発明の効果】
【００１４】
以上説明したように、本発明に係るプレキャスト壁構造によれば、下側構造部材及び梁に対するプレキャスト壁部材の接合作業の手間を軽減することができる。
【図面の簡単な説明】
【００１５】
【図１】一実施形態に係るプレキャスト壁構造が適用されたプレキャスト壁を外側から見た立面図である。
【図２】（Ａ）及び（Ｂ）は、図１の２−２線断面図である。
【図３】（Ａ）及び（Ｂ）は、図１の３−３線断面図である。
【図４】図１の４−４線断面図である。
【図５】（Ａ）及び（Ｂ）は、図１の５−５線断面図である。
【図６】（Ａ）及び（Ｂ）は、図１の６−６線断面図である。
【図７】一実施形態に係るプレキャスト壁構造の変形例を示す図２（Ｂ）に相当する断面図である。
【図８】一実施形態に係るプレキャスト壁構造の変形例を示す図２（Ｂ）に相当する断面図である。
【図９】一実施形態に係るプレキャスト壁構造の変形例を示す図３（Ｂ）に相当する断面図である。
【図１０】一実施形態に係るプレキャスト壁構造の変形例を示す図３（Ｂ）に相当する断面図である。
【図１１】一実施形態に係るプレキャスト壁構造の変形例を示す図５（Ｂ）に相当する断面図である。
【図１２】一実施形態に係るプレキャスト壁構造の変形例を示す図５（Ｂ）に相当する断面図である。
【図１３】一実施形態に係るプレキャスト壁構造の変形例を示す図５（Ｂ）に相当する断面図である。
【図１４】一実施形態に係るプレキャスト壁構造の変形例を示す図６（Ｂ）に相当する断面図である。
【図１５】一実施形態に係るプレキャスト壁構造の変形例を示す図６（Ｂ）に相当する断面図である。
【発明を実施するための形態】
【００１６】
以下、図面を参照しながら、一実施形態に係るプレキャスト壁構造について説明する。
【００１７】
図１には、構造物１０の外周部に配置される架構（外周架構）１２が示されている。架構１２は、一対の柱２０と、一対の柱２０に架設された上下の梁３０とを有している。一対の柱２０及び上下の梁３０は、例えば、鉄筋コンクリート造（ＲＣ造）とされており、構造物１０の外周部に配置されている。つまり、柱２０は、外周柱とされており、梁３０は、外周梁とされている。
【００１８】
また、構造物１０の外周部には、本実施形態に係るプレキャスト壁構造が適用されたプレキャスト壁４０が配置されている。プレキャスト壁４０は、構造物１０の外壁を構成している。また、プレキャスト壁４０は、上下の梁３０の外側（室外側）に配置されている。つまり、プレキャスト壁４０は、架構１２の構面外に配置されている。
【００１９】
プレキャスト壁４０は、複数のプレキャスト壁部材４２を有している。複数のプレキャスト壁部材４２は、プレキャストコンクリートによって、上下方向を長手方向とした板状（短冊状）に形成されている。また、各プレキャスト壁部材４２は、鉄筋コンクリート造とされている。これらのプレキャスト壁部材４２は、上下方向及び水平方向（横方向）の２方向に配列されており、隣り合うプレキャスト壁部材４２同士が互いに接合されている。
【００２０】
以下、梁３０及び柱２０に対するプレキャスト壁部材４２の接合構造、及び隣り合うプレキャスト壁部材４２同士の接合構造について説明する。なお、図１には、複数のプレキャスト壁部材４２が、上下方向に三段で積み上げられている。そのため、以下では、説明の便宜上、下段、中段、及び上段のプレキャスト壁部材４２を、それぞれ下段プレキャスト壁部材４２Ｌ、中段プレキャスト壁部材４２Ｍ、及び上段プレキャスト壁部材４２Ｕと区別して説明する場合がある。
【００２１】
（プレキャスト壁部材と梁との接合構造）
先ず、梁３０に対する中段プレキャスト壁部材４２Ｍの接合構造について説明する。
【００２２】
図２（Ａ）及び図２（Ｂ）に示されるように、中段プレキャスト壁部材４２Ｍは、その上部の一方側（内側）の壁面（内壁面）４２Ａを、梁３０の外側の側面（外側面）３０Ａに対向させた状態で配置される。この中段プレキャスト壁部材４２Ｍの内部には、複数の壁筋４４が埋設されている。また、中段プレキャスト壁部材４２Ｍの上部には、第一連結部材としての連結線材４６が設けられている。
【００２３】
連結線材４６は、中段プレキャスト壁部材４２Ｍの横幅方向（矢印Ｗ方向）に間隔を空けて複数設けられている。各連結線材４６は、例えば、Ｕ字状に屈曲されたＵ字状鉄筋とされている。また、各連結線材４６は、中段プレキャスト壁部材４２Ｍの上部から梁３０側へ突出するように、当該中段プレキャスト壁部材４２Ｍに埋設されている。
【００２４】
一方、梁３０の側面３０Ａには、第一挿入部としての切欠き部３２が形成されている。切欠き部３２は、梁３０の材軸方向に延びるとともに、梁３０の側面３０Ａ及び上面３０Ｂに亘って形成されている。この切欠き部３２には、梁３０に埋設されたせん断補強筋３４の一部が露出（配置）されている。なお、せん断補強筋３４は、第一挿入部側連結部材の一例である。また、梁３０には、スラブ１４が接合されている。
【００２５】
梁３０の切欠き部３２には、中段プレキャスト壁部材４２Ｍの連結線材４６が挿入される。この連結線材４６とせん断補強筋３４とは、互いに隣接又は重ねられた状態で配置される。なお、連結線材４６は、隣り合うせん断補強筋３４（スターラップ）の間に入れば良く、必ずしもせん断補強筋３４に重ねなくても良い。
【００２６】
また、梁３０の切欠き部３２には、第一充填材としてのセメント系充填材３６が充填される。セメント系充填材３６は、例えば、コンクリート、モルタル、グラウト等とされている。なお、後述するセメント系充填材５６等も、セメント系充填材３６と同様の構成とされる。
【００２７】
セメント系充填材３６は、梁３０の上面３０Ｂ側から切欠き部３２に充填される。これにより、中段プレキャスト壁部材４２Ｍの上部と梁３０とが、連結線材４６、せん断補強筋３４、及びセメント系充填材３６を介して接合される。
【００２８】
なお、中段プレキャスト壁部材４２Ｍと梁３０との隙間は、型枠４８等によって密閉される。また、切欠き部３２の内壁面には、セメント系充填材３６との一体性を高めるコッター３８が形成されている。また、コッターは、中段プレキャスト壁部材４２Ｍの壁面４２Ａに形成しても良い。
【００２９】
（上下方向に隣り合うプレキャスト壁部材同士の接合構造）
次に、下段プレキャスト壁部材４２Ｌと中段プレキャスト壁部材４２Ｍとの接合構造について説明する。
【００３０】
図３（Ａ）及び図３（Ｂ）に示されるように、中段プレキャスト壁部材４２Ｍの下には、下段プレキャスト壁部材４２Ｌが配置されている。下段プレキャスト壁部材４２Ｌの上部には、第二連結部材としての連結線材５０Ｌが設けられている。なお、下段プレキャスト壁部材４２Ｌは、下側プレキャスト壁部材の一例である。
【００３１】
連結線材５０Ｌは、下段プレキャスト壁部材４２Ｌの横幅方向に間隔を空けて複数設けられている。各連結線材５０Ｌは、例えば、直線状に延びる棒状鉄筋とされている。また、各連結線材５０Ｌは、下段プレキャスト壁部材４２Ｌの上面４２Ｂから上方へ突出するように、下段プレキャスト壁部材４２Ｌに埋設されている。
【００３２】
一方、中段プレキャスト壁部材４２Ｍの下面４２Ｃには、第二挿入部としての切欠き部５２Ｍが形成されている。切欠き部５２Ｍは、中段プレキャスト壁部材４２Ｍの横幅方向に延びるとともに、中段プレキャスト壁部材４２Ｍの下面４２Ｃ及び壁面４２Ａに亘って形成されている。この切欠き部５２Ｍには、中段プレキャスト壁部材４２Ｍに埋設された連結線材５４Ｍの一部が露出されている。なお、連結線材５４Ｍは、第二挿入部側連結部材の一例である。
【００３３】
また、中段プレキャスト壁部材４２Ｍの切欠き部５２Ｍには、下段プレキャスト壁部材４２Ｌの連結線材５０Ｌが挿入される。この連結線材５０Ｌと連結線材５４Ｍとは、互いに隣接又は重ねられた状態で配置される。
【００３４】
さらに、中段プレキャスト壁部材４２Ｍの切欠き部５２Ｍには、第二充填材としてのセメント系充填材５６が充填される。これにより、下段プレキャスト壁部材４２Ｌの上部と中段プレキャスト壁部材４２Ｍの下部とが、連結線材５０Ｌ，５４Ｍ及びセメント系充填材５６を介して接合される。
【００３５】
なお、下段プレキャスト壁部材４２Ｌと中段プレキャスト壁部材４２Ｍとの隙間は、型枠５８等によって密閉される。また、切欠き部５２Ｍの内壁面には、セメント系充填材５６との一体性を高めるコッター６０が形成されている。また、コッターは、下段プレキャスト壁部材４２Ｌの上面４２Ｂに形成しても良い。
【００３６】
次に、中段プレキャスト壁部材４２Ｍと上段プレキャスト壁部材４２Ｕとの接合構造について説明する。なお、本実施形態では、中段プレキャスト壁部材４２Ｍと上段プレキャスト壁部材４２Ｕとの接合構造は、下段プレキャスト壁部材４２Ｌと中段プレキャスト壁部材４２Ｍとの接合構造と同様である。
【００３７】
図４に示されるように、中段プレキャスト壁部材４２Ｍの上部には、第三連結部材としての連結線材５０Ｍが設けられている。連結線材５０Ｍは、下段プレキャスト壁部材４２Ｌの連結線材５０Ｌ（図３（Ａ）参照）と同様の構成とされている。また、上段プレキャスト壁部材４２Ｕは、上側プレキャスト壁部材の一例である。
【００３８】
一方、上段プレキャスト壁部材４２Ｕの下部には、第三挿入部としての切欠き部５２Ｕが形成されている。切欠き部５２Ｕは、中段プレキャスト壁部材４２Ｍの切欠き部５２Ｍと同様の構成されている。この切欠き部５２Ｕには、上段プレキャスト壁部材４２Ｕに埋設された連結線材５４Ｕの一部が露出されている。なお、連結線材５４Ｕは、第三挿入部側連結部材の一例である。
【００３９】
また、上段プレキャスト壁部材４２Ｕの切欠き部５２Ｕには、中段プレキャスト壁部材４２Ｍの連結線材５０Ｍが挿入される。この連結線材５０Ｍと連結線材５４Ｕとは、互いに隣接又は重ねられた状態で配置される。
【００４０】
さらに、上段プレキャスト壁部材４２Ｕの切欠き部５２Ｕには、第三充填材としてのセメント系充填材６２が充填される。このセメント系充填材６２は、上段プレキャスト壁部材４２Ｕの壁面４２Ａ側から切欠き部５２Ｕに充填される。これにより、上段プレキャスト壁部材４２Ｕの下部と中段プレキャスト壁部材４２Ｍの上部とが、連結線材５０Ｍ，５４Ｕ及びセメント系充填材６２を介して接合される。
【００４１】
なお、上段プレキャスト壁部材４２Ｕと中段プレキャスト壁部材４２Ｍとの隙間は、型枠５８等によって密閉される。また、切欠き部５２Ｕの内壁面には、セメント系充填材６２との一体性を高めるコッター６０が形成されている。また、コッターは、中段プレキャスト壁部材４２Ｍの上面４２Ｂに形成しても良い。
【００４２】
（横幅方向に隣り合う一対のプレキャスト壁部材同士の接合構造）
次に、各々の横幅方向（矢印Ｗ方向、水平方向）に隣り合う一対の中段プレキャスト壁部材４２Ｍ同士の接合構造について説明する。なお、各々の横幅方向に隣り合う一対の下段プレキャスト壁部材４２Ｌ同士の接合構造、及び各々の横幅方向に隣り合う一対の上段プレキャスト壁部材４２Ｕ同士の接合構は、一対の中段プレキャスト壁部材４２Ｍ同士の接合構造と同様である。
【００４３】
図５（Ａ）及び図５（Ｂ）には、各々の横幅方向に隣り合って配置される一対の中段プレキャスト壁部材４２Ｍが示されている。なお、以下では、説明の便宜上、一対の中段プレキャスト壁部材４２Ｍのうち、一方の中段プレキャスト壁部材４２Ｍを中段プレキャスト壁部材４２Ｍ１とし、他方の中段プレキャスト壁部材４２Ｍを中段プレキャスト壁部材４２Ｍ２として説明する場合がある。
【００４４】
一方の中段プレキャスト壁部材４２Ｍ１の横幅方向の一端部には、第四連結部材としての連結線材７０が設けられている。連結線材７０は、一方の中段プレキャスト壁部材４２Ｍ１の高さ方向に間隔を空けて複数設けられている。各連結線材７０は、例えば、直線状に延びる棒状鉄筋とされている。また、各連結線材７０は、一方の中段プレキャスト壁部材４２Ｍ１の端部の端面４２Ｔから、他方の中段プレキャスト壁部材４２Ｍ２側へ突出するように、一方の中段プレキャスト壁部材４２Ｍ１の端部に埋設されている。
【００４５】
他方の中段プレキャスト壁部材４２Ｍ２の一端部には、第四挿入部としての切欠き部７２が形成されている。切欠き部７２は、他方の中段プレキャスト壁部材４２Ｍ２の高さ方向（上下方向）に延びるとともに、当該中段プレキャスト壁部材４２Ｍの端面４２Ｔ及び壁面４２Ａに亘って形成されている。この切欠き部７２には、他方の中段プレキャスト壁部材４２Ｍ２に埋設された連結線材７４の一部が露出されている。なお、連結線材７４は、第四挿入部側連結部材の一例である。
【００４６】
また、他方の中段プレキャスト壁部材４２Ｍ２の切欠き部７２には、一方の中段プレキャスト壁部材４２Ｍ１の連結線材７０が挿入される。この連結線材７０と連結線材７４とは、互いに隣接又は重ねられた状態で配置される。
【００４７】
さらに、他方の中段プレキャスト壁部材４２Ｍ２の切欠き部７２には、第四充填材としてのセメント系充填材７６が充填される。このセメント系充填材７６は、他方の中段プレキャスト壁部材４２Ｍ２の壁面４２Ａ側から切欠き部７２に充填される。これにより、一方の中段プレキャスト壁部材４２Ｍ１の端部と他方の中段プレキャスト壁部材４２Ｍ２の端部とが、連結線材７０，７４及びセメント系充填材７６を介して接合される。
【００４８】
なお、一対の中段プレキャスト壁部材４２Ｍ１，４２Ｍ２の隙間は、型枠７８等によって密閉される。また、切欠き部７２の内壁面には、セメント系充填材７６との一体性を高めるコッター８０が形成されている。また、コッターは、一方の中段プレキャスト壁部材４２Ｍ１の端面４２Ｔに形成しても良い。
【００４９】
（プレキャスト壁部材と柱との接合構造）
次に、柱２０に対する中段プレキャスト壁部材４２Ｍの横幅方向の端部の接合構造について説明する。
【００５０】
図６（Ａ）及び図６（Ｂ）に示されるように、中段プレキャスト壁部材４２Ｍは、その横幅方向の端面４２Ｔを、柱２０の側面２０Ａと対向させた状態で配置される。この柱２０には、第五連結部材としての連結線材２２が埋設されている。なお、柱２０の側面２０Ａは、架構１２の内周面を形成している。
【００５１】
連結線材２２は、柱２０の材軸方向（上下方向）に間隔を空けて複数設けられている。各連結線材２２は、例えば、直線状に延びる棒状鉄筋とされている。また、各連結線材２２は、柱２０を横幅方向（矢印Ｗ方向）に貫通しており、その両端部が柱２０の両側の側面２０Ａから、中段プレキャスト壁部材４２Ｍ側へ突出している。
【００５２】
一方、中段プレキャスト壁部材４２Ｍの横幅方向の端部には、第五挿入部としての切欠き部９０が形成されている。切欠き部９０は、中段プレキャスト壁部材４２Ｍの高さ方向（上下方向）に延びるとともに、中段プレキャスト壁部材４２Ｍの端面４２Ｔ及び壁面４２Ａに亘って形成されている。この切欠き部９０には、中段プレキャスト壁部材４２Ｍに埋設された連結線材９２の一部が露出されている。なお、連結線材９２は、第五挿入部側連結部材の一例である。
【００５３】
また、中段プレキャスト壁部材４２Ｍの切欠き部９０には、柱２０の連結線材２２が挿入される。この連結線材２２と連結線材９２とは、互いに隣接又は重ねられた状態で配置される。
【００５４】
さらに、中段プレキャスト壁部材４２Ｍの切欠き部９０には、第五充填材としてのセメント系充填材９４が充填される。このセメント系充填材９４は、中段プレキャスト壁部材４２Ｍの壁面４２Ａ側から切欠き部９０に充填される。これにより、中段プレキャスト壁部材４２Ｍの端部と柱２０とが、連結線材２２，９２、及びセメント系充填材９４を介して接合される。
【００５５】
なお、中段プレキャスト壁部材４２Ｍと柱２０との隙間は、型枠９６等によって密閉される。また、切欠き部９０の内壁面には、セメント系充填材９４との一体性を高めるコッター９８が形成されている。また、コッターは、柱２０の側面２０Ａに形成しても良い。
【００５６】
（プレキャスト壁の施工方法）
次に、中段プレキャスト壁部材４２Ｍの施工方法の一例を説明しつつ、本実施形態の効果について説明する。
【００５７】
図２（Ａ）及び図２（Ｂ）に示されるように、中段プレキャスト壁部材４２Ｍは、例えば、図示しないクレーン等によって吊り上げられ、梁３０の外側に配置される。この中段プレキャスト壁部材４２Ｍは、梁３０に向かって横移動（水平移動）される。この際、中段プレキャスト壁部材４２Ｍの壁面４２Ａから突出する連結線材４６が、梁３０の切欠き部３２に挿入される。この状態で、梁３０の切欠き部３２にセメント系充填材３６を充填することにより、中段プレキャスト壁部材４２Ｍの上部と梁３０とが接合される。
【００５８】
したがって、例えば、型枠の仮設作業等が低減されるため、中段プレキャスト壁部材４２Ｍと梁３０との接合作業の手間が軽減される。また、梁３０の切欠き部３２には、梁３０の上面３０Ｂ側からセメント系充填材５６を充填することができる。したがって、施工性が向上する。
【００５９】
一方、図３（Ａ）及び図３（Ｂ）に示されるように、中段プレキャスト壁部材４２Ｍの下部の切欠き部５２Ｍには、下段プレキャスト壁部材４２Ｌの上面４２Ｂから突出する連結線材５０Ｌが挿入される。この状態で、中段プレキャスト壁部材４２Ｍの切欠き部５２Ｍにセメント系充填材５６を充填することにより、中段プレキャスト壁部材４２Ｍと下段プレキャスト壁部材４２Ｌとが接合される。
【００６０】
したがって、例えば、型枠の仮設作業等が低減されるため、中段プレキャスト壁部材４２Ｍと下段プレキャスト壁部材４２Ｌとの接合作業の手間が軽減される。
【００６１】
次に、図４に示されるように、中段プレキャスト壁部材４２Ｍの上には、上段プレキャスト壁部材４２Ｕが配置される。この上段プレキャスト壁部材の下部には、切欠き部５２Ｕが形成されており、この切欠き部５２Ｕには、中段プレキャスト壁部材４２Ｍの壁面４２Ａから突出する連結線材５０Ｍが挿入される。この状態で、上段プレキャスト壁部材４２Ｕの切欠き部５２Ｕにセメント系充填材６２を充填することにより、中段プレキャスト壁部材４２Ｍと上段プレキャスト壁部材４２Ｕとが接合される
【００６２】
したがって、例えば、型枠の仮設作業等が低減されるため、中段プレキャスト壁部材４２Ｍと上段プレキャスト壁部材４２Ｕとの接合作業の手間が軽減される。
【００６３】
次に、図５（Ａ）及び図５（Ｂ）に示されるように、各々の横幅方向に隣り合う中段プレキャスト壁部材４２Ｍ１，４２Ｍ２は、例えば、他方の中段プレキャスト壁部材４２Ｍ２の切欠き部７２に、一方の中段プレキャスト壁部材４２Ｍ１の連結線材７０が挿入される。この状態で、他方の中段プレキャスト壁部材４２Ｍ２の切欠き部７２にセメント系充填材７６を充填することにより、一方の中段プレキャスト壁部材４２Ｍ１と他方の中段プレキャスト壁部材４２Ｍ２とが接合される。
【００６４】
したがって、例えば、型枠の仮設作業等が低減されるため、横幅方向に隣り合う中段プレキャスト壁部材４２Ｍ同士の接合作業の手間が軽減される。
【００６５】
次に、図６（Ａ）及び図６（Ｂ）に示されるように、柱２０と隣り合う中段プレキャスト壁部材４２Ｍの切欠き部９０には、柱２０の側面２０Ａから突出する連結線材２２が挿入される。この状態で、中段プレキャスト壁部材４２Ｍの切欠き部９０にセメント系充填材９４を充填することにより、中段プレキャスト壁部材４２Ｍと柱２０とが接合される。
【００６６】
したがって、例えば、型枠の仮設作業等が低減されるため、中段プレキャスト壁部材４２Ｍと柱２０との接合作業の手間が軽減される。
【００６７】
以上と同様の手順により、複数の下段プレキャスト壁部材４２Ｌ、中段プレキャスト壁部材４２Ｍ、及び上段プレキャスト壁部材４２Ｕを上下方向及び水平方向に配列することにより、プレキャスト壁４０が構成される。なお、上記の施工手順は、適宜順番を入れ替えて実施可能である。
【００６８】
ここで、中段プレキャスト壁部材４２Ｍは、梁３０の側面３０Ａ側に設置される。そのため、上下の梁３０間にプレキャスト壁部材を設置する場合と比較して、中段プレキャスト壁部材４２Ｍの設置が容易となる。
【００６９】
また、上下の梁３０の間にプレキャスト壁部材を設置する場合、作業者は、見上げた状態で梁３０の下面にプレキャスト壁部材の上端部を接合することになる。これに対して本実施形態では、梁３０の側面３０Ａに中段プレキャスト壁部材４２Ｍが接合されるため、作業者は、見上げた状態で梁３０と中段プレキャスト壁部材４２Ｍとを接合する必要がない。したがって、施工性が向上する。
【００７０】
さらに、複数の中段プレキャスト壁部材４２Ｍを短冊状に形成することにより、一枚当たりの中段プレキャスト壁部材４２Ｍの重量が小さくなる。したがって、中段プレキャスト壁部材４２Ｍの揚重性及び運搬性が向上する。
【００７１】
しかも、本実施形態では、中段プレキャスト壁部材４２Ｍの上部を梁３０に接合するとともに、中段プレキャスト壁部材４２Ｍの下部を下段プレキャスト壁部材４２Ｌの上部に接合する。これにより、中段プレキャスト壁部材４２Ｍの剛性及び耐力が高められる。
【００７２】
また、上下方向に隣り合う下段プレキャスト壁部材４２Ｌ、中段プレキャスト壁部材４２Ｍ、及び上段プレキャスト壁部材４２Ｕを接合することにより、これらの下段プレキャスト壁部材４２Ｌ、中段プレキャスト壁部材４２Ｍ、及び上段プレキャスト壁部材４２Ｕが連層耐震壁として機能する。
【００７３】
さらに、本実施形態では、各々の横幅方向に隣り合う中段プレキャスト壁部材４２Ｍ同士が接合される。さらにまたは、中段プレキャスト壁部材４２Ｍと柱２０とが接合される。これにより、中段プレキャスト壁部材４２Ｍの剛性及び耐力がさらに高められる。したがって、構造物１０の耐震性能が向上する。
【００７４】
（変形例）
次に、上記実施形態の変形例について説明する。
【００７５】
（プレキャスト壁部材と梁との接合構造）
先ず、梁３０に対する中段プレキャスト壁部材４２Ｍの接合構造の変形例について説明する。
【００７６】
上記実施形態では、図２（Ａ）に示されるように、中段プレキャスト壁部材４２Ｍの上部から第一連結部材としての連結線材４６を突出させるとともに、梁３０の側面３０Ａに第一挿入部としての切欠き部３２を形成したが、上記実施形態はこれに限らない。例えば、図７に示される変形例のように、梁３０の側面３０Ａから第一連結部材としての連結線材１００を突出させるとともに、中段プレキャスト壁部材４２Ｍに、第一挿入部としての切欠き部１０２を形成しても良い。
【００７７】
つまり、第一連結部材は、中段プレキャスト壁部材４２Ｍ及び梁３０の何れか一方に設けることができ、第一挿入部は、中段プレキャスト壁部材４２Ｍ及び梁３０の何れか他方に形成することができる。この場合、連結線材５０Ｍが、第一挿入部側連結部材となる。また、切欠き部１０２には、第一充填材としてのセメント系充填材１０４が充填される。
【００７８】
また、上記実施形態では、梁１１０が鉄筋コンクリート造とされるが、上記実施形態はこれに限らない。例えば、図８に示される変形例では、梁１１０は、鉄骨造とされている。具体的には、梁１１０は、Ｈ形鋼で形成されている。この梁１１０は、上下一対のフランジ部１１０Ａと、上下一対のフランジ部１１０Ａを接続するウェブ部１１０Ｂとを有している。
【００７９】
上下一対のフランジ部１１０Ａの間には、第一挿入部１１２が形成されている。この第一挿入部１１２は、上下一対のフランジ部１１０Ａとウェブ部１１０Ｂとで囲まれた空間とされており、梁１１０の材軸方向に沿って形成されている。
【００８０】
また、梁１１０のウェブ部１１０Ｂには、第一挿入部１１２内へ突出する複数のスタッド１１４が設けられている。複数のスタッド１１４は、上下方向及び梁１１０の材軸方向に間隔を空けて複数設けられている。また、梁１１０の第一挿入部１１２には、中段プレキャスト壁部材４２Ｍの連結線材４６が挿入される。この連結線材４６とスタッド１１４とは、互いに隣接又は重ねられた状態で配置される。なお、スタッド１１４は、第一挿入部側連結部材の一例である。
【００８１】
さらに、梁１１０の第一挿入部１１２には、セメント系充填材１１６が充填される。このセメント系充填材１１６は、例えば、梁１１０の上側のフランジ部１１０Ａと中段プレキャスト壁部材４２Ｍとの間から第一挿入部１１２に充填される。これにより、中段プレキャスト壁部材４２Ｍの上部と梁１１０とが、連結線材４６、スタッド１１４、及びセメント系充填材１１６を介して接合される。
【００８２】
なお、中段プレキャスト壁部材４２Ｍと梁１１０の下側のフランジ部１１０Ａとの隙間は、型枠１１８等によって密閉される。
【００８３】
（上下方向に隣り合うプレキャスト壁部材同士の接合構造）
次に、下段プレキャスト壁部材４２Ｌと中段プレキャスト壁部材４２Ｍとの接合構造の変形例について説明する。なお、以下の変形例は、中段プレキャスト壁部材４２Ｍと上段プレキャスト壁部材４２Ｕとの接合構造にも適宜適用可能である。
【００８４】
上記実施形態では、図３（Ａ）に示されるように、下段プレキャスト壁部材４２Ｌの上部から第二連結部材としての連結線材５０Ｌを突出させるとともに、中段プレキャスト壁部材４２Ｍの下部に第二挿入部としての切欠き部５２Ｍを形成したが、上記実施形態はこれに限らない。例えば、中段プレキャスト壁部材４２Ｍの下部から第二連結部材を突出させるとともに、下段プレキャスト壁部材４２Ｌの上部に、第二挿入部を形成しても良い。
【００８５】
つまり、第二連結部材は、下段プレキャスト壁部材４２Ｌ及び中段プレキャスト壁部材４２Ｍの何れか一方に設けることができ、第二挿入部は、下段プレキャスト壁部材４２Ｌ及び中段プレキャスト壁部材４２Ｍの何れか他方に形成することができる。
【００８６】
また、中段プレキャスト壁部材４２Ｍと下段プレキャスト壁部材４２Ｌとの接合構造は、上記したものに限らない。例えば、図９に示されるように、下段プレキャスト壁部材４２Ｌの上部からダウエル筋１７０を突出させるとともに、中段プレキャスト壁部材４２Ｍの下部にダウエル筋１７２を設けても良い。
【００８７】
なお、ダウエル筋１７０は、第一連結部材の一例であり、ダウエル筋１７２は、第一挿入部側連結部材の一例である。また、ダウエル筋１７０には、下段プレキャスト壁部材４２Ｌとの定着力を高めるためのナットやプレートナット等の定着体を取り付けても良い。また、下段プレキャスト壁部材４２Ｌの上端部にリレージョイントを埋設し、このリレージョイントにダウエル筋を接続することも可能である。このことは、ダウエル筋１７２についても同様である。
【００８８】
また、図９に示される下段プレキャスト壁部材４２Ｌの壁面４２Ａには、コッター１７６が形成されている。さらに、下段プレキャスト壁部材４２Ｌの壁筋４４は、縦筋４４Ａが横筋４４Ａよりも外側に配置されている。この壁筋４４の配筋方法は、下段プレキャスト壁部材４２Ｌ、上段プレキャスト壁部材４２Ｕについても同様である。
【００８９】
また、例えば、図１０に示される変形例では、下段プレキャスト壁部材４２Ｌの上部に、第二連結部材としての連結線材１２０が設けられている。
【００９０】
連結線材１２０は、下段プレキャスト壁部材４２Ｌの横幅方向に間隔を空けて複数設けられている。各連結線材１２０は、例えば、直線状に延びる棒状鉄筋とされている。また、各連結線材１２０は、下段プレキャスト壁部材４２Ｌの上面４２Ｂから上側（中段プレキャスト壁部材４２Ｍ側）へ突出するように、下段プレキャスト壁部材４２Ｌの厚み方向の中央部に埋設されている。なお、連結線材１２０には、定着体１２２が設けられている。
【００９１】
一方、中段プレキャスト壁部材４２Ｍの下面４２Ｃには、第二挿入部としての挿入孔１２４が形成されている。挿入孔１２４は、中段プレキャスト壁部材４２Ｍの横幅方向に間隔を空けて複数形成されている。各挿入孔１２４は、中段プレキャスト壁部材４２Ｍの下端部に、機械式継手１２６を埋設することにより形成されている。
【００９２】
ここで、挿入孔１２４には、下段プレキャスト壁部材４２Ｌの連結線材１２０が挿入された状態で、セメント系充填材１２８が充填される。これにより、下段プレキャスト壁部材４２Ｌと中段プレキャスト壁部材４２Ｍとが、連結線材１２０及びセメント系充填材１２８を介して接合される。なお、下段プレキャスト壁部材４２Ｌと中段プレキャスト壁部材４２Ｍとの隙間には、型枠１３０が適宜設けられる。
【００９３】
（水平方向に隣り合うプレキャスト壁部材同士の接合構造）
次に、水平方向に隣り合う中段プレキャスト壁部材４２Ｍ１，４２Ｍ２同士の接合構造について説明する。
【００９４】
上記実施形態では、一対の中段プレキャスト壁部材４２Ｍ１，４２Ｍ２のうち、一方の中段プレキャスト壁部材４２Ｍ１の端部から第四連結部材としての連結線材７０（図５（Ａ）参照）が突出されるが、上記実施形態はこれに限らない。例えば、図１１に示される変形例では、一方の中段プレキャスト壁部材４２Ｍ１の端部、及び他方の中段プレキャスト壁部材４２Ｍ２の端部に、互いに相手側へ突出する第四連結部材としての連結線材１４０がそれぞれ設けられている。
【００９５】
また、一方の中段プレキャスト壁部材４２Ｍ１の端部、及び他方の中段プレキャスト壁部材４２Ｍ２の端部には、第四挿入部としての切欠き部７２がそれぞれ形成される。そして、一方の中段プレキャスト壁部材４２Ｍ１の連結線材１４０は、他方の中段プレキャスト壁部材４２Ｍ２の切欠き部７２に挿入される。これと同様に、他方の中段プレキャスト壁部材４２Ｍ２の連結線材１４０は、一方の中段プレキャスト壁部材４２Ｍ１の切欠き部７２に挿入される。
【００９６】
また、各切欠き部７２には、中段プレキャスト壁部材４２Ｍ１，４２Ｍ２の壁面４２Ａ側からセメント系充填材１４２が充填される。これにより、一対の中段プレキャスト壁部材４２Ｍ１，４２Ｍ２同士が接合される。
【００９７】
また、例えば、図１２に示されるように、一方の中段プレキャスト壁部材４２Ｍ１の端部からダウエル筋１８０を突出させるとともに、他方の中段プレキャスト壁部材４２Ｍ２の端部からダウエル筋１８２を突出させても良い。
【００９８】
なお、ダウエル筋１８０は、第四連結部材の一例であり、ダウエル筋１８２は、第四挿入部側連結部材の一例である。また、ダウエル筋１８０には、ナットやプレートナット等の定着体を取り付けても良い。また、一方の中段プレキャスト壁部材４２Ｍ１の端部にリレージョイントを埋設し、このリレージョイントにダウエル筋を接続することも可能である。このことは、ダウエル筋１８２についても同様である。
【００９９】
また、例えば、図１３に示されるように、他方の中段プレキャスト壁部材４２Ｍ２の端部から第四連結部材としての連結線材１５０を突出させるとともに、一方の中段プレキャスト壁部材４２Ｍ１の端部に、第四挿入部としての挿入孔１５２を形成することも可能である。
【０１００】
挿入孔１５２は、例えば、一方の中段プレキャスト壁部材４２Ｍ１の端部に機械式継手１５４を埋設することにより形成される。この挿入孔１５２には、連結線材１５０が挿入された状態で、セメント系充填材１５６が充填される。これにより、一対の中段プレキャスト壁部材４２Ｍ１，４２Ｍ２同士が接合される。なお、連結線材１５０には、定着体１５１が設けられている。
【０１０１】
（プレキャスト壁部材と柱との接合構造）
次に、柱２０に対する中段プレキャスト壁部材４２Ｍの接合構造の変形例について説明する。
【０１０２】
上記実施形態では、図６（Ａ）に示されるように、柱２０の側面２０Ａから第五連結部材としての連結線材２２を突出させるとともに、中段プレキャスト壁部材４２Ｍに第五挿入部としての切欠き部９０を形成したが、上記実施形態はこれに限らない。例えば、中段プレキャスト壁部材４２Ｍの横幅方向の端部から、第五連結部材を突出させるとともに、柱２０の側面２０Ａに第五挿入部を形成しても良い。
【０１０３】
つまり、第五連結部材は、柱２０及び中段プレキャスト壁部材４２Ｍの何れか一方に設けることができ、第五挿入部は、柱２０及び中段プレキャスト壁部材４２Ｍの何れか他方に形成することができる。
【０１０４】
また、中段プレキャスト壁部材４２Ｍと柱２０との接合構造は、上記したものに限らない。例えば、図１４に示される変形例では、中段プレキャスト壁部材４２Ｍの横幅方向の端部が、柱２０に対して架構１２の構面の面外方向（矢印Ｇ方向）一方側（外側）に配置されている。この中段プレキャスト壁部材４２Ｍの端部の壁面４２Ａは、柱２０の側面２０Ｂと対向される。なお、柱２０の側面２０Ｂは、架構１２の構面の面外方向一方側（外側）を向く面とされる。
【０１０５】
柱２０には、第五連結部材としての連結線材１６０が埋設されている。複数の連結線材１６０は、柱２０の材軸方向（上下方向）に間隔を空けて複数設けられている。各連結線材１６０は、例えば、Ｕ字状に屈曲されたＵ字状鉄筋とされている。この連結線材１６０は、柱２０の側面２０Ｂから突出している。
【０１０６】
中段プレキャスト壁部材４２Ｍの端部には、第五挿入部としての切欠き部１６２が形成されている。この切欠き部１６２には、中段プレキャスト壁部材４２Ｍに埋設された連結線材１６３の一部が露出されている。なお、連結線材１６３は、第五挿入部側連結部材の一例である。
【０１０７】
また、中段プレキャスト壁部材４２Ｍの切欠き部１６２には、柱２０の連結線材１６０が挿入される。そして、この連結線材１６０と連結線材１６３とは、互いに隣接又は重ねられた状態で配置される。
【０１０８】
さらに、中段プレキャスト壁部材４２Ｍの切欠き部１６２には、セメント系充填材１６４が充填される。これにより、中段プレキャスト壁部材４２Ｍの端部と柱２０とが、連結線材１６０，１６３、及びセメント系充填材１６４を介して接合される。
【０１０９】
なお、柱２０の側面２０Ｂには、コッター１６６が形成され、柱２０の両側の側面２０Ａには、ノロ止め用の突出部（ノロ止め部）１６８がそれぞれ形成される。なお、柱２０の側面には、鋼製のノロ止め部を設けても良い。また、ノロ止め部は、適宜省略可能である。
【０１１０】
ここで、図６（Ｂ）に示される構成では、柱２０の両側に中段プレキャスト壁部材４２Ｍとの目地部（型枠９６）がそれぞれ形成される。これに対して図１３に示される変形例では、各々の横幅方向に隣り合う一対の中段プレキャスト壁部材４２Ｍの端部同士が、柱２０の外側で互いに接合される。そのため、構造物１０の外部に露出する目地部（型枠９６）が、１つとなる。したがって、意匠性が向上する。
【０１１１】
また、例えば、図１５に示されるように、中段プレキャスト壁部材４２Ｍの端部からダウエル筋１９０を突出させても良い。
【０１１２】
なお、ダウエル筋１９０は、第五挿入部側連結部材の一例である。また、ダウエル筋１９０には、ナットやプレートナット等の定着体を取り付けても良い。また、中段プレキャスト壁部材４２Ｍの端部にリレージョイントを埋設し、このリレージョイントにダウエル筋を接続することも可能である。
【０１１３】
（その他の変形例）
上記実施形態では、各々の横幅方向に隣り合う一対の中段プレキャスト壁部材４２Ｍ１，４２Ｍ２を接合したが、一対の中段プレキャスト壁部材４２Ｍ１，４２Ｍ２は接合しなくても良い。また、上記実施形態では、柱２０に対して中段プレキャスト壁部材４２Ｍを接合したが、中段プレキャスト壁部材４２Ｍは、柱２０に接合しなくても良い。
【０１１４】
また、上記実施形態では、中段プレキャスト壁部材４２Ｍの下部を、下側構造部材としての下段プレキャスト壁部材４２Ｌの上部に接合したが、上記実施形態はこれに限らない。下側構造部材としては、例えば、中段プレキャスト壁部材４２Ｍの下に配置されるスラブや基礎等であっても良い。
【０１１５】
また、上記実施形態では、プレキャスト壁部材４２を上下方向及び水平方向に複数配列したが、上下方向に一枚のプレキャスト壁部材４２を設置しても良いし、水平方向に一枚のプレキャスト壁部材４２を設置しても良い。
【０１１６】
また、上記実施形態では、プレキャスト壁部材４２を短冊状に形成したが、プレキャスト壁部材４２の形状は適宜変更可能である。
【０１１７】
また、上記実施形態では、第一連結部材としての連結線材４６を用いたが、上記実施形態はこれに限らない。第一連結部材としては、例えば、ダウエル筋や、ＰＣ鋼棒、アンカー部材等の連結部材を適宜用いることができる。また、第一連結部材は、複数の鉄筋等をリレージョイント等で連結することにより形成しても良い。これと同様に、第二連結部材〜第五連結部材、及び第一挿入部側連結部材〜第五挿入部側連結部材についても、ＰＣ鋼棒やアンカー部材等の連結部材を適宜用いることができる。また、コッター３８等は、適宜省略可能である。
【０１１８】
また、上記実施形態では、第一充填材としてのセメント系充填材３６を用いたが、第一充填材は、例えば、接着剤等であっても良い。これと同様に、第二充填材〜第五充填材についても、接着剤等を用いることができる。
【０１１９】
また、上記実施形態では、第一挿入部が切欠き部３２とされるが、上記実施形態はこれに限らない。第一挿入部は、第一連結部材が挿入可能で、かつ、第一充填材が充填可能であれば良く、例えば、孔や凹部等であっても良い。これと同様に、第二挿入部〜第五挿入部についても、例えば、孔や凹部等であっても良い。
【０１２０】
また、上記実施形態では、プレキャスト壁４０が外壁とされるが、上記実施形態はこれに限らない。本実施形態に係るプレキャスト壁構造は、構造物１０の内壁を構成するプレキャスト壁にも適用可能である。
【０１２１】
また、柱２０や梁３０は、ＲＣ造に限らず、鉄骨鉄筋コンクリート造や鉄骨造であっても良い。
【０１２２】
以上、本発明の一実施形態について説明したが、本発明はこうした実施形態に限定されるものでなく、一実施形態及び各種の変形例を適宜組み合わせて用いても良いし、本発明の要旨を逸脱しない範囲において、種々なる態様で実施し得ることは勿論である。
【符号の説明】
【０１２３】
３０    梁
３０Ａ  側面
３２    切欠き部（第一挿入部）
３６    セメント系充填材（第一充填材）
４２    プレキャスト壁部材
４２Ｕ  上段プレキャスト壁部材（上側プレキャスト壁部材、プレキャスト壁部材）
４２Ｍ  中段プレキャスト壁部材（プレキャスト壁部材）
４２Ｌ  下段プレキャスト壁部材（下側構造部材、プレキャスト壁部材）
４６    連結線材（第一連結部材）
５０Ｌ  連結線材（第二連結部材）
５０Ｍ  連結線材（第三連結部材）
５２Ｍ  切欠き部（第二挿入部）
５２Ｕ  切欠き部（第三挿入部）
５６    セメント系充填材（第二充填材）
６２    セメント系充填材（第三充填材）
７０    連結線材（第四連結部材）
７２    切欠き部（第四挿入部）
７６    セメント系充填材（第四充填材）
１００  連結線材（第一連結部材）
１０２  切欠き部（第一挿入部）
１０４  セメント系充填材（第一充填材）
１１０  梁
１１２  第一挿入部
１１６  セメント系充填材（第一充填材）
１２０  連結線材（第二連結部材）
１２４  挿入孔（第二挿入部）
１２８  セメント系充填材（第二充填材）
１４０  連結線材（第四連結部材）
１４２  セメント系充填材（第四充填材）
１５０  連結線材（第四連結部材）
１５２  挿入孔（第四挿入部）
１５６  セメント系充填材（第四充填材）
１７０  ダウエル筋（第一連結部材）
１８０  ダウエル筋（第四連結部材）
１９０  ダウエル筋（第五連結部材）
【図１】
2018025056.tif 000003
【図２】
2018025056.tif 000004
【図３】
2018025056.tif 000005
【図４】
2018025056.tif 000006
【図５】
2018025056.tif 000007
【図６】
2018025056.tif 000008
【図７】
2018025056.tif 000009
【図８】
2018025056.tif 000010
【図９】
2018025056.tif 000011
【図１０】
2018025056.tif 000012
【図１１】
2018025056.tif 000013
【図１２】
2018025056.tif 000014
【図１３】
2018025056.tif 000015
【図１４】
2018025056.tif 000016
【図１５】
2018025056.tif 000017